(57)【要約】【課題】固定式緯入れノズルが経糸方向に並列する場合に、いずれかの固定式緯入れノズルに連なる緯糸端部の保持状態を均一化し安定化することである。【解決手段】仕切板７の上下に押圧盤９を有し、仕切板７と各押圧盤９との間に挟持領域１７を形成し、経糸方向に並列した２つの固定式緯入れノズル１から織前側に連なる緯糸端部を、仕切板７と各押圧盤９との間に導入して挟持する緯糸保持装置３において、仕切板７に直交する方向から視た条件下で、上側の挟持領域１７と下側の挟持領域１７を異ならせると共に、その異ならせる態様は、いずれかの固定式緯入れノズル１から連なる緯糸端部が、上側の挟持領域１７を通過する長さと下側の挟持領域１７を通過する長さに差を設ける態様であることを特徴とする。【選択図】      図１
2004176216.tif 000002
【特許請求の範囲】
【請求項１】
仕切板（７）の上下に押圧盤（９）を有し、仕切板（７）と各押圧盤（９）との間に挟持領域（１７）を形成し、経糸方向に並列した２つの固定式緯入れノズル（１）から織前側に連なる緯糸端部を、仕切板（７）と各押圧盤（９）との間に導入して挟持する緯糸保持装置（３）において、
仕切板（７）に直交する方向から視た条件下で、上側の挟持領域（１７）と下側の挟持領域（１７）を異ならせると共に、
その異ならせる態様は、いずれかの固定式緯入れノズル（１）から連なる緯糸端部が、上側の挟持領域（１７）を通過する長さと下側の挟持領域（１７）を通過する長さに差を設ける態様であることを特徴とする緯糸保持装置。
【請求項２】
仕切板（７）の上下に押圧盤（９）を有し、固定式緯入れノズル（１）から織前側に連なる緯糸端部を、仕切板（７）と各押圧盤（９）との間に導入して挟持する緯糸保持装置（３）において、
仕切板（７）と少なくとも一方の押圧盤（９）の間に中間盤（２７）を一枚以上介在し、仕切板（７）、中間盤（２７）及び押圧盤（９）の互いに隣接する部材間で挟持領域（１７）をそれぞれ形成し、
仕切板（７）に直交する方向から視た条件下で、全ての挟持領域（１７）のうち少なくとも２つの挟持領域（１７）を異ならせると共に、
その異ならせる態様は、経糸方向に並列した３つ以上の固定式緯入れノズル（１）のうちいずれかの少なくとも一つから連なる緯糸端部が、一つの挟持領域（１７）を通過する長さと、他の挟持領域（１７）を通過する長さに、差を設ける態様であることを特徴とする緯糸保持装置。
【請求項３】
上下の押圧盤（９）の中心位置が、前記条件下でずれていることを特徴とする請求項１又は２記載の緯糸保持装置。
【請求項４】
仕切板（７）の上下の挟持領域（１７）の面積が異なることを特徴とする請求項１又は２記載の緯糸保持装置。
【請求項５】
前記仕切板（７）は２つの前記固定式緯入れノズル（１）から連なる各緯糸（８）を、仕切板（７）の上下に形成された各挟持領域（１７）のいずれか一方に導くことを特徴とする請求項１記載の緯糸保持装置。
【請求項６】
緯糸（８）を前記中間盤（２７）の上下に分けて案内するガイド板（１１）を中間盤（２７）の外側に設け、３つ以上の前記固定式緯入れノズル（１）から連なる各緯糸（８）を、前記仕切板（７）と前記ガイド板（１１）とで共同して仕切板（７）の上下に形成された各挟持領域（１７）のいずれか一方に導くことを特徴とする請求項２記載の緯糸保持装置。
【発明の詳細な説明】
【０００１】
【発明の属する技術分野】
本発明は、流体噴射式織機の固定式緯入れノズルと筬の間に配置される緯糸保持装置に関する。
【０００２】
【従来の技術】
経糸方向に離れた二本の緯入れノズル（本発明の固定式緯入れノズルに相当する）からは、緯糸がそれぞれ緯入れされる。その緯糸は、筬打ち運動よって給糸側を緯糸保持装置で保持され、緯糸保持装置と筬の間部分を緯糸切断装置で切断される。切断された緯糸端部は次の緯入れ時まで緯糸保持装置で保持され、ノズルからの流体噴射によって保持が解除され、緯入れが行われる。緯糸保持装置としては、仕切板の上下に円盤状部材（本発明の押圧盤に相当する）を有し、上下の各円盤状部材と仕切板との間に緯糸を別々に保持するものが知られている（例えば、特許文献１参照。）。
【０００３】
【特許文献１】
特開２００１−１１５３６２号公報（第１図から第４図）
【０００４】
【発明が解決しようとする課題】
ところが、上下の円盤状部材は径が同一で、しかも仕切板を挟んで同心に配置されているので、各円盤状部材と仕切板との間に形成される上下の挟持領域は、仕切板に直交する方向から視ると、完全に一致する。また、緯入れノズルの配列方向が経糸方向なので、筬打ち直後に緯糸を仕切板に直交する方向から視ると、各ノズルから織前に向かって連なる緯糸の軌跡が、ノズル毎に異なっている。つまり、織前に対して近い方のノズルから織前側に連なる緯糸端部は、各挟持領域の中心側を通過し、遠い方のノズルから連なる緯糸端部は、各挟持領域の外側を通過する。そうすると、遠い方のノズルから連なる緯糸端部を挟持できる長さは、近い方のそれより明らかに短くなる。その結果、それぞれの緯糸の保持状態が異なり、遠い方のノズルから連なる緯糸端部の保持が不十分になりやすく、ノズル抜け緯入れ不良を引き起こしやすかった。
【０００５】
本発明は上記事情を考慮して開発されたもので、その解決課題は、各ノズルの緯糸端部の保持状態を均一化し安定化することである。
【０００６】
【課題を解決するための手段】
請求項１記載の発明は、仕切板の上下に押圧盤を有し、仕切板と各押圧盤との間に挟持領域を形成し、経糸方向に並列した２つの固定式緯入れノズルから織前側に連なる緯糸端部を、仕切板と各押圧盤との間に導入して挟持する緯糸保持装置において、仕切板に直交する方向から視た条件下で、上側の挟持領域と下側の挟持領域を異ならせると共に、その異ならせる態様は、いずれかの固定式緯入れノズルから連なる緯糸端部が、上側の挟持領域を通過する長さと下側の挟持領域を通過する長さに差を設ける態様であることを特徴とする。
【０００７】
「経糸方向に並列した２つの固定式緯入れノズル」とは、２つの固定式緯入れノズルの並ぶ方向に経糸方向成分が有ればよく、必ずしも経糸方向と完全に平行である場合に限られない。
【０００８】
固定式緯入れノズルの数が２つのものには、請求項１記載の発明を使用するが、３つ以上のものには、請求項２記載の発明を使用する。つまり、仕切板の上下に押圧盤を有し、固定式緯入れノズルから織前側に連なる緯糸端部を、仕切板と各押圧盤との間に導入して挟持する緯糸保持装置において、仕切板と少なくとも一方の押圧盤の間に中間盤を一枚以上介在し、仕切板、中間盤及び押圧盤の互いに隣接する部材間で挟持領域をそれぞれ形成し、仕切板に直交する方向から視た条件下で、全ての挟持領域のうち少なくとも２つの挟持領域を異ならせると共に、その異ならせる態様は、経糸方向に並列した３つ以上の固定式緯入れノズルのうちいずれかの少なくとも一つから連なる緯糸端部が、一つの挟持領域を通過する長さと、他の挟持領域を通過する長さに、差を設ける態様であることを特徴とする。
【０００９】
仕切板と押圧盤の間に中間盤を２枚以上介在すると、中間盤同士の間にも挟持領域が形成される。
【００１０】
請求項３記載の発明は、上下の押圧盤の中心位置が、前記条件下でずれていることを特徴とする。
【００１１】
請求項４記載の発明は、仕切板の上下の挟持領域の面積が異なることを特徴とする。
【００１２】
請求項５記載の発明は、前記仕切板は２つの前記固定式緯入れノズルから連なる各緯糸を、仕切板の上下に形成された各挟持領域のいずれか一方に導くことを特徴とする。
【００１３】
請求項６記載の発明は、緯糸を前記中間盤の上下に分けて案内するガイド板を中間盤の外側に設け、３つ以上の前記固定式緯入れノズルから連なる各緯糸を、前記仕切板と前記ガイド板とで共同して仕切板の上下に形成された各挟持領域のいずれか一方に導くことを特徴とする。
【００１４】
【発明の実施の形態】
流体噴射式織機、特にスレー上にはなく織機のフレームに固定される固定式緯入れノズルを備えた水噴射式織機において、図３に示すように、経糸方向に並列した複数の緯入れノズル１と筬２との間に緯糸保持装置３を配置し、緯糸保持装置３と織前４との間には、緯糸切断装置としてのカッター５を配置してある。
【００１５】
本発明の緯糸保持装置の第一例は図１から図３に示すように、経糸方向に並列する緯入れノズル１の数が二本のものに使用する。その構造は、緯入れノズル１と経糸列６の間に仕切板７を有し、仕切板７で二本の緯入れノズル１から噴射される緯糸８，８を分け隔て、仕切板７の上下に押圧盤９をそれぞれ有すると共に、仕切板７に直交する方向から視た条件下で両押圧盤９，９の中心位置をずらし、各押圧盤９を仕切板７に押し付ける付勢部材１０を、仕切板７に設けると共に、付勢部材１０の付勢力を調整可能に設け、付勢力を利用して仕切板７と押圧盤９の間に緯糸８を挟持し、各押圧盤９の外側にはガイド板１１を、仕切板７から離して設け、ガイド板１１で緯糸８を押圧盤９と仕切板７の間に導くものである。
【００１６】
仕切板７は図１に示すように、押圧盤９に対向する主片１２の経糸供給側に導入片１３を屈曲して連続し、導入片１３で二本の緯入れノズル１から噴射される緯糸８を経糸方向で分け隔て、主片１２の反経糸列側（図３の（イ）では上側）には、上向きに開口するコ字状の取付片１４を延長し、取付片１４をノズルブラケット１５を介して図示しない織機フレームに固定してある。
【００１７】
主片１２は、ほぼ水平に、より詳しくは経糸供給側に向かって僅かに下がる状態に傾斜してある。導入片１３は、経糸供給側に向かうにつれて上がる状態に傾斜してある。
【００１８】
押圧盤９は、中心に抜穴１６を有するリング状であって、リングの内周部及び外周部を仕切板７から離れる方向に屈曲することによって、全体を凹面状に形成すると共に仕切板７との間にドーナツ状の挟持領域１７を形成してある。また、仕切板７から離れる方向に屈曲するリングの外周部を、テーパー状にすることによって緯糸８が挟持領域１７に導かれやすくなる。
【００１９】
仕切板７（より正確には、主片１２）に直交する方向から視た条件下で、上下の押圧盤９，９の中心位置を経糸方向にずらしてある。更に詳しく言えば、織前４に対して遠い方の緯入れノズル１から連なる緯糸端部が、上側の挟持領域１７を通過する長さを、下側の挟持領域１７を通過する長さよりも短くする態様で、中心位置をずらしてあり、それによって上下の挟持領域１７，１７を異ならせている。
【００２０】
上側の付勢部材１０は、押圧盤９の抜穴１６に同心状に通す中心軸１８を、仕切板７の主片１２にネジ止め等で起立し、中心軸１８に通したコイルスプリング１９を押圧盤９の上に配置し、中心軸１８の上部に形成した雄ネジ部２０にナット２１をねじ込んでコイルスプリング１９を収縮させ、コイルスプリング１９の復元力で押圧盤９を仕切板７の主片１２に押し付け、ナット２１のねじ込み量の調整により、緯糸８の保持力を調整可能としたものである。なお、コイルスプリング１９はナット側から押圧盤側に向かうにつれて径が広くなるものを用い、ナット２１の下側にはコイルスプリング位置決め用のリング２２を雄ネジ部２０にねじこんである。
【００２１】
一方、下側の付勢部材１０は、上側の付勢部材１０を正反対にし、全体的に経糸方向にずらしたものである。従って、中心軸１８の垂下位置が、上側の中心軸１８の起立位置よりも経糸方向にずれている。
【００２２】
上側のガイド板１１は、仕切板７の主片１２に向かい合う対向片２３の経糸供給側に、案内片２４を上方に屈曲して延長するもので、対向片２３の中央部には、押圧盤９の高さほぼ中間部を通す貫通穴２５をあけてある。
【００２３】
下側のガイド板１１は、上側のガイド板１１をほぼ正反対にしたもので、案内片２４の屈曲方向を斜め下向きにしたことを特徴とする。
【００２４】
また、上下のガイド板１１は、何れも対向片２３の反経糸列側には、下向きに屈曲する連結片２６を設け、各連結片２６を取付片１４にネジ止めしてある。
【００２５】
上述した第一例は、以下の要領で緯糸８を保持する。まず、織前４から近い方の緯入れノズル１から緯糸８は仕切板７の上方を通過して緯入れされる。その後、緯糸８は、筬打ちによって上側のガイド板１１の案内片２４の裏面、ガイド板１１と仕切板７の間を順次移動し、上側の押圧盤９と仕切板７の間の挟持領域１７に導かれ、挟持される。この後、カッター５によって緯糸８が筬２と緯糸保持装置３の間で切断され、次の緯入れまで、緯糸保持装置３が緯糸端部を挟持する。一方、織前４から遠い方の緯入れノズル１から緯糸８は、仕切板７の導入片１３よりも経糸供給側を通過して、緯入れされる。その後、緯糸８は、筬打ちによって導入片１３の裏面、仕切板７と下側のガイド板１１の間を順次移動し、仕切板７と下側の押圧盤９の間の挟持領域１７に導かれ、挟持される。この後は、先に説明した場合と同様となる。
【００２６】
緯糸保持装置の第二例も図４と図５に示すように、経糸方向に並列する緯入れノズル１の数が二本のものに使用する。そして、仕切板７に直交する方向から視た条件下で、上下の挟持領域１７の中心を一致する（同心にする）と共に、下側の挟持領域１７の面積を上側の挟持領域１７の面積よりも広く形成したことを特徴とする。具体的には、下側の押圧盤９を上側の押圧盤９よりも大径にしつつ、各押圧盤９の屈曲する内周部及び外周部を同径に形成してある。
【００２７】
緯糸保持装置の第三例は図６と図７に示すように、経糸方向に並列する緯入れノズル１の数が三本のものに使用する。これは、仕切板７と下側の押圧盤９との間に他の部材と独立した単体でリング状の中間盤２７を介在し、その中間盤２７の外側に別のガイド板２８を配置し、積み重なる仕切板７と中間盤２７と下側の押圧盤９の間に挟持領域１７をそれぞれ形成し、仕切板７に直交する方向から視た条件下で、３つの挟持領域１７のうち、下側の２つの挟持領域１７を一致させると共に、最上段の挟持領域１７と、下側２つの挟持領域１７，１７とを経糸方向に異ならせたことを特徴とする。
【００２８】
中間盤２７は、リング状で、中心軸１８を通す挿入孔２９をざぐり状に形成し、挿入孔２９の上側の直径を広くすることによって、中間盤２７の上下面に形成する２つの挟持領域１７，１７を、前記条件下で一致させてある。また、中間盤２７は、外周面を「く」字状に外側に張り出すテーパー形状にすることによって、中間盤２７の上下の挟持領域１７に緯糸８が導入されやすくしてある。また、下側２つの挟持領域１７，１７を緯糸保持装置の第二例のように、互いの挟持領域を異なるようにしても良い。
【００２９】
中間盤用のガイド板２８は、他のガイド板１１と同様に、対向片３０の経糸供給側に案内片３１を斜め上向きに屈曲して連続し、遠い方の２つの緯入れノズルから緯入れされる緯糸を案内片３１で仕切っている。また、対向片３０に有する貫通穴３２には、中間盤２７を通し、対向片３０の反経糸列側には連結片３３を屈曲して設けてある。
【００３０】
第一例から第三例は、何れも仕切板７の上下の挟持領域１７を異ならせて、遠い方の緯入れノズル１から連なる緯糸端部を保持しやすくしてあるので、付勢力の調整（ナット２１のねじ込み量の調整）が容易になる。従って、あらゆる糸種（太さの違いなど）の緯糸に対しても、保持力調整が容易になる。
【００３１】
また、押圧盤９には色々な形状がある。例えば、図８に示す押圧盤９は、第一例でも示したように、リングの内周部及び外周部を、仕切板７から離れる方向にテーパー状に屈曲してある。図９に示す押圧盤９は、リングの内周部を仕切板７から離れる方向に直角に屈曲して筒状にすることによって、外径を図８に示した押圧盤９の外径と同一にしながらも、挟持領域１７を拡大してある。図１０に示す押圧盤９は、図８に示す押圧盤９と同様にリングの内周部及び外周部を形成してあるが、外径を大きくすることによって、挟持領域１７を拡大してある。
【００３２】
【発明の効果】
請求項１記載の発明は、仕切板に直交する方向から視た条件下で、実施例の場合のように遠い方の固定式緯入れノズルから連なる緯糸端部が上下の挟持領域を通過する長さをそれぞれ測って、長い方の挟持領域を用いて遠い方の緯糸端部を保持すれば、従来よりも保持状態が安定し、その結果、緯入れが安定する。また、このようにして上下の挟持領域で２本の緯糸端部を別々に保持した場合に、その保持する長さが等しくなるように両挟持領域を形成すれば、２本の緯糸端部の保持状態が均一化する。なお、いずれかの固定式緯入れノズルから連なる緯糸端部においても本発明が適用可能である。
【００３３】
請求項２記載の発明は、請求項１記載の発明の効果と同様に、３つの固定式緯入れノズルから連なる緯糸端部のうち、いずれかの固定式緯入れノズルから連なる緯糸端部を少なくとも一本は、従来よりも安定して保持できる。
【００３４】
請求項３及び４記載の発明は、押圧盤の中心位置をずらしたり、挟持領域の面積を異ならせるという、簡単な構造で、いずれかの固定式緯入れノズルから連なる緯糸端部を均一且つ安定に保持できる。
【図面の簡単な説明】
【図１】緯糸保持装置の第一例を示す拡大側面図である。
【図２】緯糸保持装置の第一例による上下の挟持領域を、仕切板に直交する方向から視た場合の説明図である。
【図３】（イ）（ロ）緯糸保持装置の第一例を示す平面図、側面図である。
【図４】緯糸保持装置の第二例を示す側面図である。
【図５】緯糸保持装置の第二例の上下の挟持領域を、仕切板に直交する方向から視た場合の説明図である。
【図６】緯糸保持装置の第三例を示す側面図である。
【図７】緯糸保持装置の第三例の上下の挟持領域を、仕切板に直交する方向から視た場合の説明図である。
【図８】（イ）（ロ）押圧盤の一例を示す断面図、平面図である。
【図９】（イ）（ロ）押圧盤の一例を示す断面図、平面図である。
【図１０】（イ）（ロ）押圧盤の一例を示す断面図、平面図である。
【符号の説明】
１  固定式緯入れノズル
３  緯糸保持装置
４  織前
７  仕切板
８  緯糸
９  押圧盤
１７  挟持領域
２７  中間盤
【図１】
2004176216.tif 000003
【図２】
2004176216.tif 000004
【図３】
2004176216.tif 000005
【図４】
2004176216.tif 000006
【図５】
2004176216.tif 000007
【図６】
2004176216.tif 000008
【図７】
2004176216.tif 000009
【図８】
2004176216.tif 000010
【図９】
2004176216.tif 000011
【図１０】
2004176216.tif 000012